(57)【要約】【課題】扉体の防火性能を確保しつつ製造工程や製造装置の選択幅が拡大できる建具を提供すること。【解決手段】支持体１３によってパネルユニット１２が支持されているので、火災の際に断熱材９が溶融したとしてもパネルユニット１２が落下せず、火災時における内外の空間を遮断して延焼を防止するという防火性能が確保できる。さらに、複数のパネルユニット１２が支持体１３によって枠材７に位置決めされているので、固形板状の断熱材９を設置したり硬化前の断熱材９を注入したりなど、扉６の製造手順や製造装置の選択の幅が拡大でき、各種条件等に応じて製造手順や製造装置を選択することで、製造時間の短縮化や製造コストの低減などが可能となる。【選択図】図４
2010180586.tif 000002
【特許請求の範囲】
【請求項１】
枠材と、この枠材に支持される内外一対の面材と、これら一対の面材間に設けられる断熱材とを有するとともに、開閉自在に支持される扉体を備えた建具であって、
前記扉体には、前記一対の面材に設けられる複数の開口部と、これら複数の開口部に対応して前記一対の面材間に設けられる複数のパネルユニットと、これら複数のパネルユニットを支持する支持体と、を有して構成される複数のガラス開口が設けられ、
前記複数のパネルユニットは、それぞれ四周枠組みされる金属枠と、この金属枠の内部に支持されるガラスパネルとを有して構成され、
前記支持体は、前記枠材に連結されて前記複数のパネルユニットを支持可能に構成されている建具。
【請求項２】
前記枠材は、少なくとも上材および縦材を有して構成され、前記支持体は、前記上材に連結される第１支持部と、前記縦材に連結される第２支持部とを有し、これら第１および第２の支持部が互いに連結されて形成され、
前記複数のパネルユニットのうち、いずれかのパネルユニットが前記第１支持部に位置決め可能に設けられ、他のパネルユニットが前記第２支持部に位置決め可能に設けられている請求項１に記載の建具。
【請求項３】
前記複数のパネルユニットが前記金属枠を介して互いに連結されている請求項１または請求項２に記載の建具。
【請求項４】
前記パネルユニットは、前記複数の開口部のうち所定数にグループ化された複数の開口部に渡る大きさに形成されている請求項１から請求項３のいずれかに記載の建具。
【発明の詳細な説明】
【技術分野】
【０００１】
本発明は、開閉自在に設けられる扉体を備えた建具に関する。
【背景技術】
【０００２】
従来、玄関ドアなどの扉（扉体）として、枠材および断熱材の内外両側に面材を貼り付けたフラッシュ扉が知られている（例えば、特許文献１参照）。
特許文献１に記載の扉には、複数箇所に明かり取りとして利用するための窓が設けられている。この窓は、内外の面材および断熱材に設けた開口部の内部に設置される窓枠体およびパネル体によって構成され、面材の開口部端縁に沿って設けた化粧額縁がパネル体に当接して保持することで、窓が位置決めされるようになっている。
【先行技術文献】
【特許文献】
【０００３】
【特許文献１】特開２００８−２９７７８４号公報
【発明の概要】
【発明が解決しようとする課題】
【０００４】
しかしながら、特許文献１に記載された従来の扉では、化粧額縁によって窓（パネル体）が位置決めされており、火災の際に化粧額縁や断熱材が溶融すると、窓が落下してしまう可能性がある。このため、火災時においても内外の空間を連通させずに延焼を防止するという防火性能が確保できないという問題がある。
また、従来の扉は、発泡スチロール等から固形板状に形成された断熱材を一方の面材に設置してから、この断熱材の開口部に窓（窓枠体およびパネル体）を設置し、その後、他方の面材で断熱材および窓を挟持して一体化するという手順で製造されるようになっている。このような従来の扉体では、固形の断熱材を用いて窓を位置決めする必要があるため、断熱材として硬化する前の発泡樹脂等を面材間に注入して充填するような製造手順の採用が困難となり、製造工程や製造装置が限定されてしまうという問題もある。
【０００５】
本発明の目的は、扉体の防火性能を確保しつつ製造工程や製造装置の選択幅が拡大できる建具を提供することにある。
【課題を解決するための手段】
【０００６】
本発明の建具は、枠材と、この枠材に支持される内外一対の面材と、これら一対の面材間に設けられる断熱材とを有するとともに、開閉自在に支持される扉体を備えた建具であって、前記扉体には、前記一対の面材に設けられる複数の開口部と、これら複数の開口部に対応して前記一対の面材間に設けられる複数のパネルユニットと、これら複数のパネルユニットを支持する支持体と、を有して構成される複数のガラス開口が設けられ、前記複数のパネルユニットは、それぞれ四周枠組みされる金属枠と、この金属枠の内部に支持されるガラスパネルとを有して構成され、前記支持体は、前記枠材に連結されて前記複数のパネルユニットを支持可能に構成されていることを特徴とする。
【０００７】
以上の本発明によれば、支持体によって複数のパネルユニットを支持することで、火災の際に断熱材が溶融したとしてもパネルユニットが落下せず、火災時における内外の空間を遮断して延焼を防止するという防火性能が確保できる。なお、支持体は、常時パネルユニットを支持していてもよく、また常時は支持せず火災等によって断熱材が溶融した場合にのみパネルユニットを支持するものでもよい。
また、金属枠とガラスパネルとを組み立ててユニット化したパネルユニットを複数形成し、これらのパネルユニットを支持体に支持させることで、複数のパネルユニットが位置決めされる。従って、断熱材として固形のものを用いて面材間に設置する製造手順も採用できるし、硬化前の断熱材を面材間に注入して充填させる製造手順も採用できるので、各種の製造工程や製造装置によって製造することができる。
なお、本発明の建具としては、枠体に回動開閉自在に扉体が支持されたドア等でもよく、枠体にスライド開閉自在に扉体が支持された引戸等でもよい。
【０００８】
この際、本発明の建具では、前記枠材は、少なくとも上材および縦材を有して構成され、前記支持体は、前記上材に連結される第１支持部と、前記縦材に連結される第２支持部とを有し、これら第１および第２の支持部が互いに連結されて形成され、前記複数のパネルユニットのうち、いずれかのパネルユニットが前記第１支持部に位置決め可能に設けられ、他のパネルユニットが前記第２支持部に位置決め可能に設けられていることが好ましい。
このような構成によれば、支持体の第１支持部を上材に連結することで、パネルユニットを上材から吊り下げ支持するとともに、第２支持部を縦材に連結することで、吊り下げ支持したパネルユニットの振れを防止することができ、パネルユニットを安定して支持することができる。
【０００９】
さらに、本発明の建具では、前記複数のパネルユニットが前記金属枠を介して互いに連結されていることが好ましい。
このような構成によれば、複数のパネルユニット同士を連結したことで、各パネルユニットの位置ずれが防止できるとともに、連結したパネルユニット群の剛性を高めることができ、支持体で支持した状態を安定させることができる。
【００１０】
また、本発明の建具では、前記パネルユニットは、前記複数の開口部のうち所定数にグループ化された複数の開口部に渡る大きさに形成されていることが好ましい。
このような構成によれば、複数の開口部をグループ分けした複数に渡る大きさにパネルユニットを形成することで、それらのグループ化された開口部にてパネルユニットを共用化することができ、その金属枠やガラスパネルの加工に要する手間を軽減させることができる。この際、開口部のグループ分けとしては、例えば、縦方向に並んだ開口部をグループ化して縦に長いパネルユニットを形成してもよく、横方向に並んだ開口部をグループ化して横に長いパネルユニットを形成してもよく、また斜め方向に並んだ開口部をグループ化して斜めに長いパネルユニットを形成してもよい。さらには、縦横に並んだ所定数の開口部をグループ化し、これらの開口部を包含するようなサイズの矩形状にパネルユニットを形成してもよい。
【発明の効果】
【００１１】
以上のような本発明の建具によれば、支持体によって複数のパネルユニットを支持することで、火災時にパネルユニットの落下を防止して防火性能が確保できるとともに、断熱材の材種や設置手順を任意に選択して扉体の製造工程や製造装置の選択幅を拡大することができる。
【図面の簡単な説明】
【００１２】
【図１】本発明の実施形態に係る建具を示す外観姿図である。
【図２】前記建具を示す縦断面図である。
【図３】前記建具を示す横断面図である。
【図４】前記建具における扉体の内部構造を説明する正面図である。
【図５】前記扉体の要部を示す分解斜視図である。
【発明を実施するための形態】
【００１３】
以下、本発明の実施形態を図面に基づいて説明する。
図１は、本発明の実施形態に係る建具である玄関ドア１を示す外観姿図である。図２および図３は、玄関ドア１を示す縦断面図および横断面図であり、それぞれ図１に矢視II−II線および矢視III−III線で示す断面図である。
図１〜図３において、玄関ドア１は、外壁開口部に固定される枠体であるドア枠２と、このドア枠２に開閉自在に支持される扉体としての扉６とを備えて構成されている。ドア枠２は、上枠３、下枠４および左右の縦枠５を有し、これらを四周枠組みして構成されている。扉６は、一方（図１の右側であり図３の左側）の縦枠５に３箇所の蝶番５Ａを介して回動支持され、蝶番５Ａの回動軸を中心にして室外側に開閉可能に構成されている。また、扉６の戸先側には、操作ハンドル６Ａや施錠装置が設けられている。
【００１４】
扉６は、図４にも示すように、上枠材７Ａ、下枠材７Ｂおよび左右の縦枠材７Ｃを四周枠組みした枠材７と、この枠材７の室内外にそれぞれ固定される内外一対の面材としての金属製の表面材８（８Ａ，８Ｂ）と、室内外の表面材８Ａ，８Ｂ間に設けられる樹脂製の断熱材９とを備えて構成されている。断熱材９は、枠材７に隣接して表面材８Ａ，８Ｂ間に設けられており、この断熱材９は、板状に成形された固形発泡樹脂等を適宜なサイズに切断したものを設置してもよく、また硬化前の樹脂を表面材８Ａ，８Ｂ間に注入して充填してから硬化させたものでもよい。また、表面材８Ａ，８Ｂは、それぞれ枠材７および断熱材９の室内側および室外側を覆って設けられ、折り曲げられた四周端縁が上枠材７Ａ、下枠材７Ｂおよび左右の縦枠材７Ｃに固定されている。また、扉６には、図１に示すように、複数（本実施形態では、６箇所）のガラス開口１０が設けられ、このガラス開口１０を介して昼間の外光や夜間の照明光が透過できるようになっている。
【００１５】
ガラス開口１０は、図２〜図４にも示すように、内外一対の表面材８Ａ，８Ｂに各々設けられた円形の開口部１１（１１Ａ，１１Ｂ）と、これらの開口部１１Ａ，１１Ｂ間に設けられる複数のパネルユニット１２と、上枠材７Ａおよび一方の縦枠材７Ｃに連結されてパネルユニット１２を支持する支持体１３とを有して構成されている。複数（本実施形態では、３つ）のパネルユニット１２は、それぞれ四周枠組みされたアルミ形材製の金属枠１４と、この金属枠１４の内部に支持された（複層ガラス）ガラスパネル１５と、ガラスパネル１５の四周端縁と金属枠１４との間に設けられてガラスパネル１５を保持するガスケット１６（防火ガスケット）とを有して構成されている。金属枠１４は、上框１４Ａ、下框１４Ｂおよび左右の縦框１４Ｃで構成されている。
【００１６】
３つのパネルユニット１２（１２Ａ，１２Ｂ，１２Ｃ）において、上框１４Ａが共有され、つまり３つのパネルユニット１２Ａ，１２Ｂ，１２Ｃは、共通の上框１４Ａによって互いに連結されている。このようにパネルユニット１２Ａ，１２Ｂ，１２Ｃ同士が共通の上框１４Ａで連結されているので、パネルユニット１２Ａ，１２Ｂ，１２Ｃの位置ずれが防止できるとともに、連結したパネルユニット１２Ａ，１２Ｂ，１２Ｃ群の剛性を高めることができ、支持体１３で支持した状態を安定させることができる。
【００１７】
また、複数のパネルユニット１２のうち、図３の右側（吊り元側）に設けられるパネルユニット１２Ａは、上下に並設される３つの開口部１１Ａ，１１Ｂに渡って上下に長く形成されている。図３の中央に設けられるパネルユニット１２Ｂは、パネルユニット１２Ａと上端位置が揃えられるとともに、上下に並設される２つの開口部１１Ａ，１１Ｂに渡って上下に長く形成されている。このように開口部１１Ａ，１１Ｂに渡ってパネルユニット１２Ａ，１２Ｂが設けられているので、その部材を共用化することができ、その金属枠１４やガラスパネル１５の加工に要する手間を軽減させることができる。一方、図３の左側（戸先側）に設けられるパネルユニット１２Ｃは、パネルユニット１２Ａ，１２Ｂと上端位置が揃えられるとともに、１つの開口部１１Ａ，１１Ｂに対応した大きさで形成されている。また、各パネルユニット１２の金属枠１４は、それぞれに対応した複数または１つの開口部１１Ａ，１１Ｂよりも大きく形成されており、開口部１１の内周端縁とガラスパネル１５との間には、隙間部材１７およびシール材１８が介挿されている。
【００１８】
支持体１３は、図５にも示すように、長尺薄板状の金属板材を全体略Ｌ字形に折り曲げ加工して形成され、上枠材７Ａに連結されて上下に延びる第１支持部１３Ａと、一方（吊り元側）の縦枠材７Ｃに連結され左右に延びる第２支持部１３Ｂとを有して構成されている。第１支持部１３Ａは、その上端部に固定用の第１折曲部１３Ｃを有し、この第１折曲部１３Ｃが上枠材７Ａにビス止め固定されている。第２支持部１３Ｂは、その側端部に固定用の第２折曲部１３Ｄを有し、この第２折曲部１３Ｄが縦枠材７Ｃにビス止め固定されている。そして、３つのパネルユニット１２Ａ，１２Ｂ，１２Ｃのうち、パネルユニット１２Ａは、その下端部（下框１４Ｂや縦框１４Ｃの下端部）が第２支持部１３Ｂに当接して位置決めされ、パネルユニット１２Ｃは、その側端部（縦框１４Ｃや上框１４Ａの側端部、下框１４Ｂの側端部）が第１支持部１３Ａに当接して位置決めされている。
【００１９】
以上の支持体１３によってパネルユニット１２Ａ，１２Ｂ，１２Ｃが支持されているので、火災の際に断熱材９が溶融したとしてもパネルユニット１２が落下せず、火災時における内外の空間を遮断して延焼を防止するという扉６の防火性能が確保できる。また、支持体１３の第１支持部１３Ａが上枠材７Ａに連結され、第２支持部１３Ｂが縦枠材７Ｃに連結されているので、互いに連結したパネルユニット１２Ａ，１２Ｂ，１２Ｃを上枠材７Ａから吊り下げ支持するとともに、吊り下げ支持したパネルユニット１２の左右方向の振れを防止することができ、パネルユニット１２を安定して支持することができる。
【００２０】
以上のように設置されたパネルユニット１２Ａ，１２Ｂ，１２Ｃおよび支持体１３以外の部分において、表面材８Ａ，８Ｂ間に断熱材９を充填する手順としては、以下に示す２通りの手順のいずれを選択してもよい。
先ず、枠材７を組み立てるとともにパネルユニット１２を組み立ててから、枠材７の上枠材７Ａおよび縦枠材７Ｃに支持体１３の第１および第２の折曲部１３Ｃを固定し、枠材７と支持体１３とを一体化しておく。
【００２１】
そして、第１の手順としては、枠材７の一方側に表面材８Ａ，８Ｂの一方を固定してから、適宜な大きさに切断した固形板状の断熱材９をパネルユニット１２Ａ，１２Ｂ，１２Ｃおよび支持体１３以外の部分に設置し、その後、各パネルユニット１２Ａ，１２Ｂ，１２Ｃを支持体１３および断熱材９間に配置してから、表面材８Ａ，８Ｂの他方を枠材７の他方側に固定することによって扉６の組立が完了する。
一方、第２の手順としては、枠材７の一方側に表面材８Ａ，８Ｂの一方を固定するとともに、各パネルユニット１２Ａ，１２Ｂ，１２Ｃを所定位置に配置してから、表面材８Ａ，８Ｂの他方を枠材７の他方側に固定し、各パネルユニット１２Ａ，１２Ｂ，１２Ｃを位置決めする。その後、適宜な注入手段を用いて硬化前の断熱材９を表面材８Ａ，８Ｂ間に注入し、この断熱材９をパネルユニット１２Ａ，１２Ｂ，１２Ｃおよび支持体１３以外の部分に行き渡らせてから、断熱材９を硬化させることによって扉６の組立が完了する。
【００２２】
以上のように複数のパネルユニット１２が支持体１３および表面材８Ａ，８Ｂによって位置決めされ、断熱材９によってパネルユニット１２を位置決めする必要がないことから、固形板状の断熱材９を設置する製造手順によって扉６を組み立てたり、硬化前の断熱材９を表面材８Ａ，８Ｂ間に注入して充填する製造手順によって扉６を組み立てたりすることができる。従って、扉６の製造手順や製造装置としての選択の幅が拡がることから、各種の建具に応じた扉６を効率的に製造することができるとともに、建具の設計条件や製造条件等に応じて製造手順や製造装置を選択することで、製造に係る時間を短縮化したり製造コストを低減したりすることが可能になる。
【００２３】
なお、本発明は、前記実施形態に限定されるものではなく、本発明の目的が達成できる他の構成等を含み、以下に示すような変形等も本発明に含まれる。
例えば、前記実施形態においては、玄関ドア１を例示して説明したが、本発明の建具としては、玄関ドア１に限らず、扉体が回動開閉可能に設けられた開き戸形式の建具でもよく、また扉体がスライド開閉可能に設けられた引き戸形式の建具でもよい。さらに、本発明の建具は、出入り口用のものに限らず、開き窓や引違い窓等の任意の開閉形式を有した窓として利用されてもよい。
【００２４】
また、前記実施形態では、支持体１３を第１および第２の支持部１３Ａ，１３Ｂから略Ｌ字形に形成し、第１支持部１３Ａを上枠材７Ａに連結するとともに第２支持部１３Ｂを縦枠材７Ｃに連結して構成したが、支持体としては、前記実施形態のものに限定されない。すなわち、支持体は、全体略コ字形に形成されて上枠材７Ａに２箇所で連結されるものでもよく、また全体逆Ｔ字形に形成されるとともに上枠材７Ａに１箇所で連結され縦枠材７Ｃに２箇所で連結されるものでもよい。さらに、支持体は、上枠材７Ａに２箇所で連結されるとともに、縦枠材７Ｃにも２箇所で連結されていてもよい。ただし、前記実施形態のように、上枠材７Ａおよび縦枠材７Ｃにそれぞれ１箇所ずつで連結される全体略Ｌ字形に支持体を形成することで、断熱材９を横切ることが少なくなることから、固形の断熱材９の切断加工が削減でき、また硬化前の断熱材９を隙間なく注入しやすくできるという利点がある。
【００２５】
また、前記実施形態では、扉６に合計６箇所のガラス開口１０を設けたが、ガラス開口１０は、２箇所以上の複数箇所に設けられていればよい。そして、複数のガラス開口１０において、開口部１１のサイズは同一である必要はなく、異なるサイズのガラス開口１０が複数箇所に設けられていてもよい。
また、前記実施形態では、３つの開口部１１に渡る大きさでパネルユニット１２Ａを形成し、２つの開口部１１に渡る大きさでパネルユニット１２Ｂを形成したが、パネルユニット１２Ｃのように、１つの開口部１１に対応したパネルユニットを開口部１１の数だけ設置してもよい。また、パネルユニット１２Ａ，１２Ｂのように、上下に並設された開口部１１に渡るものに限らず、左右に並設された開口部１１に渡ってパネルユニットを設置してもよく、また斜めに並設された開口部１１に渡ってパネルユニットを設置してもよい。
【００２６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２７】
１…玄関ドア（建具）、６…扉（扉体）、７…枠材、７Ａ…上枠材（上材）、７Ｃ…縦枠材（縦材）、８，８Ａ，８Ｂ…表面材（面材）、９…断熱材、１０…ガラス開口、１１，１１Ａ，１１Ｂ…開口部、１２…パネルユニット、１３…支持体、１３Ａ…第１支持部、１３Ｂ…第２支持部、１４…金属枠、１５…ガラスパネル。
【図１】
2010180586.tif 000003
【図２】
2010180586.tif 000004
【図３】
2010180586.tif 000005
【図４】
2010180586.tif 000006
【図５】
2010180586.tif 000007